(57)【要約】【課題】電気部品等を実装するユニットであって、筐体に隠顕自在に装置されるユニットにおいて、ユニットと筐体を連絡するケーブルの取り回しを容易にして、前記筐体の外部空間への振り出しがスムーズなユニットを提供する。【解決手段】開閉器１２等を実装する基板ケース９を温水器筐体１の垂直部材３にヒンジ１０を介して枢支するとともに、基板ケース９の下端に底板１３を備え、底板１３に開閉器１２等のケーブル１６，１７を挿通する挿通口１５を備え、ケーブル１６，１７を基板ケース９の下方に垂下する。【選択図】        図２
2006288087.tif 000002
【特許請求の範囲】
【請求項１】
開口と前記開口を閉塞する着脱自在な蓋体を具備し、その内部空間が中仕切板により上部空間と下部空間に画された筐体の内部空間に装置されて、前記開口を通って、前記筐体の内部空間と外部空間の間を自在に出入りするとともに、電気部品あるいは機械部品（以下、「電気部品等」という。）が実装されるユニットであって
前記電気部品等を実装する部品実装面と、
前記部品実装面の垂直辺に設けられ、前記部品実装面の下辺を前記中仕切板と略同一高さに保持するとともに、前記部品実装面を垂直軸回りに回動自在に前記筐体に係支する係支部と、
前記部品実装面の下辺に配設され、収納時に前記中仕切板に形成された切欠部に収容される底板と、
前記電気部品等のケーブルあるいはホース（以下、「ケーブル等」という。）を挿通させるために前記底板に開口された挿通口、
を備えるユニット。
【請求項２】
開口と、
前記開口を閉塞する着脱自在な蓋体と、
その内部空間を上部空間と下部空間に画す中仕切板と、
その内部空間に装置されて、前記開口を通って、その内部空間と外部空間の間を自在に出入りするとともに、電気部品あるいは機械部品（以下、「電気部品等」という。）が実装されるユニット
を備える筐体において、
前記ユニットは、
前記電気部品等を実装する部品実装面と、
前記部品実装面の垂直辺に設けられ、前記部品実装面の下辺を前記中仕切板と略同一  高さに保持するとともに、前記部品実装面を垂直軸回りに回動自在に前記筐体に係支す  る係支部と、
前記部品実装面の下辺に配設され、収納時に前記中仕切板に形成された切欠部に収容  される底板と、
前記電気部品等のケーブルあるいはホース（以下、「ケーブル等」という。）を挿通  させるために前記底板に開口された挿通口、
を有することを特徴とする筐体。
【請求項３】
前記下部空間は空所であり、
前記ケーブル等は前記空所に垂下して、略Ｕ字形を描いて、前記筐体の内部機器に配線されることを特徴とする請求項２に記載の筐体。
【発明の詳細な説明】
【技術分野】
【０００１】
本発明は、電気部品等を実装するユニットであって、筐体に枢支されて、前記筐体の外側へ回転可能に連結されるユニットおよび、前記ユニットを備える筐体に関する。
【背景技術】
【０００２】
各種制御盤あるいは空気調和装置、給湯機器を収納する筐体に装置する電気部品等の整備（修理、交換）を容易にするために、電気部品等をユニットに実装して、筐体に装置することが行われる。更に整備を容易にするために、ユニットを筐体にヒンジを介して枢支して、前記ユニットを前記ヒンジ回りに揺動して、前記筐体の外側に引き出せるようにすることも知られている。
【０００３】
例えば、特許文献１には、制御盤用の電気部品を実装したユニットを制御盤の支柱にヒンジを介して水平方向手前に開放可能に連結した制御盤が開示されている。
【０００４】
図６は、特許文献１に記載された制御盤のユニットの構造を示す平面図である。図６において、１００は制御盤である。制御盤１００は互いに平行に立設された支柱１０１、１０２を備え、支柱１０２には固定部１０３が固定され、固定部１０３にはヒンジ１０４を介して可動部１０５が枢支されている。可動部１０５はヒンジ１０４の図の紙面に垂直な軸回りに揺動して、矢印方向に開閉される。また、可動部１０５には図示しない電気部品が実装される。１０６は前記電気部品に繋がるケーブルであり、可動部１０５の裏面と支柱１０１を連結している。
【特許文献１】特開平７−３２７３０３号公報
【発明の開示】
【発明が解決しようとする課題】
【０００５】
特許文献１に記載の制御盤１００は電気部品を搭載した可動部１０５を固定部１０３に枢支して、水平方向手前に枢支して水平方向手前に引き出せるようにしたので、電気部品の整備が容易であるが、可動部１０５を水平方向手前に引き出す際にケーブル１０６を引きずるので、可動部がスムーズに開閉できないという問題がある。すなわち、ケーブル１０６が短いと可動部１０５が十分に開かないし、逆にケーブル１０６を長くすると、可動部１０５を閉じる際に、作業者は一方の手で可動部１０５を動かしながら、他方の手でケーブル１０６を持って、ケーブル１０６を制御盤１００の中に押し込まなければならないので、作業性が悪いという問題である。
【０００６】
本発明は、このような課題を解決するためになされたものであり、ユニットと筐体を連絡するケーブルの取り回しを容易にして、前記筐体の外側への引き出しがスムーズなユニット及び筐体を提供することを目的とする。
【課題を解決するための手段】
【０００７】
本発明に係るユニットの構成は、開口と前記開口を閉塞する着脱自在な蓋体を具備し、その内部空間が中仕切板により上部空間と下部空間に画された筐体の内部空間に装置されて、前記開口を通って、前記筐体の内部空間と外部空間の間を自在に出入りするとともに、電気部品あるいは機械部品（以下、「電気部品等」という。）が実装されるユニットであって、前記電気部品等を実装する部品実装面と、前記部品実装面の垂直辺に設けられ、前記部品実装面の下辺を前記中仕切板と略同一高さに保持するとともに、前記部品実装面を垂直軸回りの回動自在に前記筐体に係支する係支部と、前記部品実装面の下辺に配設され、収納時に前記中仕切板に形成された切欠部に収容される底板と、前記電気部品等のケーブルあるいはホース（以下、「ケーブル等」という。）を挿通させるために前記底板に開口された挿通口を備えるものである。
【０００８】
この構成によれば、ケーブル等を挿通口に通してユニットの下方に垂下できるので、ケーブル等の整理が容易になる。また挿通口に通されたケーブル等はユニットの回転に追随し挙動するので、ケーブル等のさばきが容易になる。
【０００９】
なお、ユニットに実装される電気部品には、制御用の電子回路基板、電源用トランス、開閉器、安全器、端子台などがある。またユニットに実装される機械部品には、空気圧機器、油圧機器などがある。また、ケーブル等とは、電気ケーブル、コード、リードのみならず、例えば、空気用あるいは液体用のフレキシブルチューブ、ホースのような容易に曲げられる線状体を指すものである。
【００１０】
本発明に係る筐体の第１の構成は、開口と、前記開口を閉塞する着脱自在な蓋体と、その内部空間を上部空間と下部空間に画す中仕切板と、その内部空間に装置されて、前記開口を通って、その内部空間と外部空間の間を自在に出入りするとともに、電気部品等が実装されるユニットを備える筐体において、前記ユニットは、前記電気部品等を実装する部品実装面と、前記部品実装面の垂直辺に設けられ、前記部品実装面の下辺を前記中仕切板と略同一高さに保持するとともに、前記部品実装面を垂直軸回りに回動自在に前記筐体に係支する係支部と、前記部品実装面の下辺に配設され、収納時に前記中仕切板に形成された切欠部に収容される底板と、前記電気部品等のケーブル等を挿通させるために前記底板に開口された挿通口を有することを特徴とする。
【００１１】
この構成によれば、蓋体を取り外すだけで、ユニットを筐体の外に振り出せるので、ユニットに実装した電機部品等の修理交換が容易になる。また、ユニットの底板を水平板と略同一高さにしたので、ケーブル等を筐体の下部空間に垂下することができ、ケーブル等の整理が容易になる。
【００１２】
なお、蓋体とは、筐体の外側からユニットにアクセスするために設けた開口を、不要時に閉塞するための、パネル、扉、蓋等の総称であり、ネジ、クリップ等によって筐体に着脱自在に取り付けられる。
【００１３】
本発明に係る筐体の第２の構成は、前記第１の構成において、前記下部空間は空所であり、前記ケーブル等は前記空所に垂下して、略Ｕ字形を描いて、前記筐体の内部機器に配線されることを特徴とする
【００１４】
この構成によれば、ケーブル等を空所内に略Ｕ字形を描いて配線しているので、前記ユニットを開放する際は、ケーブル等は張力によって筐体の外に引き出され、前記ユニットを閉鎖する際は、ケーブル等は重力によって筐体の内部（空所）に戻るので、ケーブルさばきが容易になる。つまり、前記ユニットの開閉に際して、作業者の手でケーブルを引き出したり、押し入れたりするなどの手間が不要になる。
【発明の効果】
【００１５】
以上説明したように、本発明に係るユニットは部品実装面の下端に底板を備え、前記底板にケーブル等を挿通する挿通口を設けて、ケーブル等を下方に垂下するようにしたので、ケーブル等の取り回しが容易になる。そのため、ユニットをヒンジ回りに回転して、手前に引き出す操作が容易になり、ユニットに実装した電気部品等の整備作業を容易にする効果がある。
【発明を実施するための最良の形態】
【００１６】
以下、本発明を実施するための最良の形態について、図面を参照しながら説明する。
【実施例】
【００１７】
図１は、本発明の実施例に係る温水器筐体１の斜視図であり、温水器筐体１を囲閉するパネルを取り去った状態を示す図である。また、図２は、温水器筐体１の基板ケース９の下部の詳細拡大図であり、図３は基板ケース９の構造図であり、（ａ）は正面図、（ｂ）は左側面図、（ｃ）は右側面図、（ｄ）は上面図、（ｅ）は下面図である。
【００１８】
温水器筐体１は、床面に搭置される基礎部材２と、基礎部材２に立設される垂直部材３と、垂直部材３の上に固定される頂板４によって構造駆体を構成し、前記構造駆体を図示しないパネルで囲閉している。また、温水器筐体１の内部には、貯湯タンク５、給湯回路６、熱交換器７、補助熱源器８などの各種機器が装置されている。また、９は基板ケースであり、基板ケース９はヒンジ１０を介して、垂直部材３に枢支されて、ヒンジ１０回りに回動して、水平方向手前に開くことができる。
【００１９】
基板ケース９上には、制御基板１１、開閉器１２等の電気部品が実装されて、前記各種機器を制御している。また基板ケース９の下端には底板１３が形成されている。また、基板ケース９は、底板１３が中仕切板１４と略同一高さになるように配置されている。中仕切板１４は温水器筐体１の上部空間と下部空間を画する水平板である。このように配置されているので、底板１３は、前記下部空間に直接、接する。なお、「略同一高さ」とは、
厳密な精度を要求しないという意味だが、底板１３を中仕切板１４より多少低くすると、後述するケーブル等の挙動が良好になる。
【００２０】
図２に示すように、底板１３には５個の挿通口１５が形成され、挿通口１５には、基板ケース９上の前記電気部品と温水器筐体１内の前記各種機器を連絡するケーブル１６、１７が通されて、基板ケース９の下部の空間１９に垂下している。また挿通口１５の周囲にはゴムブッシュ１８が取りつけられ、ケーブル１６、１７が挿通口１５の縁で擦れて損傷するのを防いでいる。
【００２１】
図４は、基板ケース９を開閉する際のケーブル１６、１７の挙動を説明する図であり、(ａ）は基板ケース９を閉じた状態を、（ｂ）は開いた状態をそれぞれ示す図である。
図４(ａ）に示すように、ケーブル１６、１７は、基板ケース９の開放に必要な長さを備えていて、基板ケース９を閉じた状態にあっては、底板１３から空間１９の内部に垂下して、空間１９の中央付近で立ち上がる略Ｕ字形の曲線を描いて温水器筐体１内部の図示しない各種機器に延びている。基板ケース９を回動して開放すると、図４（ｂ）に示すように、空間１９内に垂下していたケーブル１６、１７は底板１３に引っ張られて引き出される。基板ケース９を再び閉じる際は、ケーブル１６、１７は底板１３に押されて空間１９内に押し戻されるともに、重力によって垂下するから図４(ａ）に示す状態にもどる。このように、ケーブル１６、１７に基板ケース９の開放に必要な長さを与えても、ケーブル１６、１７は、重力と挿通口１５の縁から加わる押圧力によって、空間１９内に押し戻されるので、基板ケース９を閉じる際に、作業者がケーブル１６、１７をさばいて、空間１９に押し込む必要は生じない。
【００２２】
図５は、基板ケース９の収まりを説明する図であり、図４(ａ）のＸ‐Ｘ’線から見た図である。図５に示すように中仕切板１４には、基板ケース９の水平断面形に合わせた切り欠きがあり、底板１３は前記切り欠きの中に納まる。したがって、基板ケース９を閉じると、基板ケース９は温水器筐体１内部に完全に収容される。
【００２３】
また、温水器筐体１の周囲は複数のパネルで囲閉されるが、このパネルには、基板ケース９にアクセスするための開口が設けられ、この開口はサービスパネルと呼ばれる着脱自在な蓋体で閉塞される。このサービスパネルを取り外せば、温水器筐体１の外側から基板ケース９に容易にアクセスできる。また基板ケース９をヒンジ１０回りに回転させると、基板ケース９は前記サービスパネルの開口から、温水器筐体１の外側に振り出すことができる。
【００２４】
なお、本実施例では、温水器筐体１に装置した基板ケース９の例を取り上げたが、本発明は温水器筐体に限定されるものではなく、空調機器、発電機、その他、産業・民生用機器の筐体であって、電気部品等を実装したユニットを枢支して、筐体の外側に引き出し可能にした筐体一般に適用できることは言うまでもない。また挿通口１５に挿通されるものは、電気ケーブルに限定されない。気体あるいは液体用のホース、チューブ等、容易に曲げられる線状体を挿通してもよい。
【００２５】
例えば、基板ケース９にソレノイドバルブ等の空気圧機器を搭載して、温水器筐体１内に装置した機器を空気圧で駆動するような場合、空気ホースをケーブル１６、１７と同じように、挿通口１５から基板ケース９の下方に垂下して、空間１９を通って温水器筐体１の内部に引き込んでもよい。
【図面の簡単な説明】
【００２６】
【図１】本発明の実施例に係る温水器筐体の斜視図である。
【図２】温水器筐体の基板ケースの詳細拡大図である。
【図３】基板ケース９の構造図である。
【図４】基板ケースを開閉する際のケーブルの挙動を説明する図である。
【図５】基板ケースの収まりを説明する図である。
【図６】従来技術の例を示す制御盤のユニットの平面図である。
【符号の説明】
【００２７】
１  温水器筐体
２  基礎部材
３  垂直部材
４  頂板
５  貯湯タンク
６  給湯回路
７  熱交換器
８  補助熱源器
９  基板ケース
１０  ヒンジ
１１  制御基板
１２  開閉器
１３  底板
１４  中仕切板
１５  挿通口
１６  ケーブル
１７  ケーブル
１８  ゴムブッシュ（保護材）
１９  空間
【図１】
2006288087.tif 000003
【図２】
2006288087.tif 000004
【図３】
2006288087.tif 000005
【図４】
2006288087.tif 000006
【図５】
2006288087.tif 000007
【図６】
2006288087.tif 000008